(57)【要約】      （修正有）【課題】従来にない構造の収納容器を提供する。【解決手段】上下位置に配される水平板３０Ａと、この上下の水平板３０Ａの左右に配される左右の側板３０Ｂとを有して少なくとも正面側が開口するボックス体３０に出し入れ自在に収納する収納容器であって、上部開口部１ａを有する容器本体と、この容器本体の正面壁に重合状態に付設される覆い板体２とから成り、前記覆い板体２は、前記ボックス体３０に前記容器本体を収納した際、前記容器本体を隠蔽する大きさであって前記ボックス体３０の正面開口部３０ａの横幅に略合致する大きさに設定されており、前記覆い板体２は前記ボックス体３０の正面開口部３０ａの大きさに応じた複数のサイズが用意されている。【選択図】図１
2020124409.tif 000002
【特許請求の範囲】
【請求項１】
上下位置に配される水平板と、この上下の水平板の左右に配される左右の側板とを有して少なくとも正面側が開口するボックス体に出し入れ自在に収納する収納容器であって、上部開口部を有する容器本体と、この容器本体の正面壁に重合状態に付設される覆い板体とから成り、前記覆い板体は、前記ボックス体に前記容器本体を収納した際、前記容器本体を隠蔽する大きさであって前記ボックス体の正面開口部の横幅に略合致する大きさに設定されており、前記覆い板体は前記ボックス体の正面開口部の大きさに応じた複数のサイズが用意されていることを特徴とする収納容器。
【請求項２】
前記覆い板体は、前記ボックス体の正面開口部の全部若しくは一部を閉塞する大きさに設定されていることを特徴とする収納容器。
【請求項３】
前記覆い板体は、前記容器本体に着脱自在に設けられていることを特徴とする請求項１，２のいずれか１項に記載の収納容器。
【請求項４】
前記覆い板体には、前記容器本体の上端部及び下端部夫々に設けられた係止部に係合する係合部が設けられていることを特徴とする請求項１〜３のいずれか１項に記載の収納容器。
【請求項５】
前記覆い板体の外面には取手部が設けられていることを特徴とする請求項１〜４のいずれか１項に記載の収納容器。
【請求項６】
前記覆い板体は方形板状体であることを特徴とする請求項１〜５のいずれか１項に記載の収納容器。
【請求項７】
前記容器本体は底壁の周縁に正面壁，左右側面壁及び背面壁が立設された有底筒状体であり、合成樹脂の成形品であることを特徴とする請求項１〜６のいずれか１項に記載の収納容器。
【発明の詳細な説明】
【技術分野】
【０００１】
本発明は、収納容器に関するものである。
【背景技術】
【０００２】
例えば、図６に図示したように上下位置に配される水平板30Ａと、この上下の水平板30Ａの左右に配される左右の側板30Ｂとを有して正面側が開口したボックス体30（カラーボックス等の収納キャビネット）における収納方法として、収納物をボックス体30の収納空間に直置きで収納するのではなく、収納物をボックス体30の収納空間に出し入れし得る上部開口部を有する収納容器50を介して収納する方法がある。
【０００３】
この収納方法であれば、ボックス体30の収納空間に対する収納物の出し入れを簡易に行うことができ、しかも、整理して収納していないと体裁が悪くなり易い直置きに比し、見た目がスッキリとした収納状態が簡易に得られ、インテリア性に秀れた収納が可能とされる。尚、収納容器50は合成樹脂の成型品が一般的である。
【発明の概要】
【発明が解決しようとする課題】
【０００４】
ところで、このボックス体30について様々なメーカーから各種サイズが提供されているところ、収納容器50については、サイズの小さなボックス体30に合わせたサイズで提供されているが、この小さな収納容器50を大きなサイズのボックス体30に収納した際、ボックス体30の内面と収納容器50の外面との間に大きな隙間（体裁上の目立つ隙間）が生じて体裁が悪くなる場合がある。ちなみに、ボックス体30のサイズに合わせて設計された専用の収納容器50であれば問題ないが、ボックス体30を提供する側と収納容器50を提供する側が異なる為、現状ではこのような問題点が生じてしまう。
【０００５】
また、仮に、ボックス体30のサイズに収納容器50のサイズが合っていたとしても、次の問題点がある。
【０００６】
即ち、収納容器50は、前述したように金型で成形する関係上、周壁（左右側壁50Ａ）の外面には金型からの抜き勾配が形成されるが、その為、周壁（左右側壁50Ａ）は上部から底部に掛けて内側へ傾斜状（逆テーパー状）となる。
【０００７】
従って、この収納容器50をボックス体30に収納すると、ボックス体30の内面と収納容器50の周壁（左右側壁50Ａ）の外面との間に下側へ行くほど大きな隙間が生じてしまい、これを体裁が悪いと感じるユーザーもいる。
【０００８】
本発明は、上述の問題点を解消する、従来にない極めて商品価値の高い画期的な収納容器を提供する。
【課題を解決するための手段】
【０００９】
添付図面を参照して本発明の要旨を説明する。
【００１０】
上下位置に配される水平板30Ａと、この上下の水平板30Ａの左右に配される左右の側板30Ｂとを有して少なくとも正面側が開口するボックス体30に出し入れ自在に収納する収納容器であって、上部開口部１ａを有する容器本体１と、この容器本体１の正面壁１Ａに重合状態に付設される覆い板体２とから成り、前記覆い板体２は、前記ボックス体30に前記容器本体１を収納した際、前記容器本体１を隠蔽する大きさであって前記ボックス体30の正面開口部30ａの横幅に略合致する大きさに設定されており、前記覆い板体２は前記ボックス体30の正面開口部30ａの大きさに応じた複数のサイズが用意されていることを特徴とする収納容器に係るものである。
【００１１】
また、前記覆い板体２は、前記ボックス体30の正面開口部30ａの全部若しくは一部を閉塞する大きさに設定されていることを特徴とする収納容器に係るものである。
【００１２】
また、前記覆い板体２は、前記容器本体１に着脱自在に設けられていることを特徴とする請求項１，２のいずれか１項に記載の収納容器に係るものである。
【００１３】
また、前記覆い板体２には、前記容器本体１の上端部及び下端部夫々に設けられた係止部３に係合する係合部４が設けられていることを特徴とする請求項１〜３のいずれか１項に記載の収納容器に係るものである。
【００１４】
また、前記覆い板体２の外面には取手部５が設けられていることを特徴とする請求項１〜４のいずれか１項に記載の収納容器に係るものである。
【００１５】
また、前記覆い板体２は方形板状体であることを特徴とする請求項１〜５のいずれか１項に記載の収納容器に係るものである。
【００１６】
また、前記容器本体１は底壁１Ｂの周縁に正面壁１Ａ，左右側面壁１Ｃ及び背面壁１Ｄが立設された有底筒状体であり、合成樹脂の成形品であることを特徴とする請求項１〜６のいずれか１項に記載の収納容器に係るものである。
【発明の効果】
【００１７】
本発明は上述のように構成したから、前述した従来からの問題点を解消することができ、非常に体裁の良い収納状態が得られるなど、従来にない極めて商品価値の高い画期的な収納容器となる。
【図面の簡単な説明】
【００１８】
【図１】本実施例の使用状態を示す斜視図である。
【図２】本実施例の使用状態を示す正面図である。
【図３】本実施例の要部を説明する斜視図である。
【図４】本実施例の要部を説明する断面図である。
【図５】本実施例の要部を説明する断面図である。
【図６】従来例の使用状態を示す正面図である。
【発明を実施するための形態】
【００１９】
好適と考える本発明の実施形態（発明をどのように実施するか）を、図面に基づいて本発明の作用を示して簡単に説明する。
【００２０】
容器本体１の正面壁１Ａに覆い板体２を重合状態に付設し、この状態でボックス体30に収納する。
【００２１】
このボックス体30への収納状態において、覆い板体２は、容器本体１を隠蔽する大きさであってボックス体30の正面開口部30ａの横幅に略合致する大きさに設定されている。
【００２２】
従って、例えば、ボックス体30のサイズに容器本体１のサイズが合わず、ボックス体30の内面と収納容器１の外面との間にユーザーが体裁が悪いと思う隙間が生じたとしても、容器本体１に覆い板体２を付設するだけで、この隙間が気にならない状態に隠すことができ、ユーザーの要求に対応した体裁の良い収納状態が得られる。
【００２３】
また、覆い板体２はボックス体30の正面開口部30ａの大きさに応じた複数のサイズが用意されている為、ユーザーはボックス体30のサイズに合った覆い体２を選択して容器本体に付設すれば良く、この点においてもユーザーの要求に確実に対応することができ、一方、容器本体１を提供する側（メーカー側）においては、ボックス体30のサイズに応じた覆い板体２を提供すれば良いだけであり、ユーザーの要求に対してコスト安に対応することができる。
【実施例】
【００２４】
本発明の具体的な実施例について図面に基づいて説明する。
【００２５】
本実施例は、上下位置に配される水平板30Ａと、この上下の水平板30Ａの左右に配される左右の側板30Ｂとを有して少なくとも正面側が開口するボックス体30に出し入れ自在に収納する収納容器である。
【００２６】
本実施例では、ボックス体30として、上下方向に間隔を介して配される４枚の木製水平板30Ａ（天板、仕切り板及び底板）と、この水平板30Ａの左右に配される２枚の木製側板30Ｂと、木製背板30Ｃとから成り、正面開口部30ａを有する直方体形状の収納空間が上下三段に設けられた既存のカラーボックス（収納キャビネット）を採用している。尚、ボックス体30の素材や収納空間の段数は上記に限られないなど、本実施例の特性を発揮する構成であれば適宜採用するものである。符号31は側板30Ｂに設けられ後述する収納容器を載置するＬ字状の載置部材である。
【００２７】
本実施例に係る収納容器は、上部開口部１ａを有する容器本体１と、この容器本体１の正面壁１Ａの外面部位に重合状態に付設される覆い板体２とから成るものである。
【００２８】
容器本体１は、図１，３，４，５に図示したように適宜な合成樹脂製の部材で一体成形（型成形）されたものであり、平面視方形状の底壁１Ｂと、この底壁１Ｂの周縁にして前後左右に立設される４つの周壁（夫々方形板状の正面壁１Ａ，左右側面壁１Ｃ及び背面壁１Ｄ）から成る上部開口部１ａを有する有底筒状体である。尚、容器本体１の素材も木製や金属製など適宜選択される。
【００２９】
本実施例では、容器本体１として高さの異なる２タイプを設けており、具体的には、ボックス体30に設けられた上下三段の収納空間のうち、下二段の収納空間に一つ収納する大型サイズの容器本体１と、上一段の収納空間の上方部位及び下方部位に二つ収納する小型サイズの容器本体１が設けられている。尚、上の収納空間の上方部位に収納する際には、ボックス体30の左右内面に設けられた載置部材31に載置して収納することができ、また、この容器本体１は、ボックス体30から取り出した状態（非収納状態）において収納用バスケットとして使用される。
【００３０】
また、容器本体１は、上端部及び下端部に水平外方向に突出する上方鍔部６及び下方鍔部７が周鍔として囲繞状態に設けられている。
【００３１】
上方鍔部６は、図３，４，５に図示したように前後左右の周壁（正面壁１Ａ，左右側面壁１Ｃ及び背面壁１Ｄ）夫々の上端部（上部開口縁部）に一体成形されている。
【００３２】
また、この上方鍔部６を含む容器本体１の上部開口縁部は、後述する覆い板体２の上端部に設けられた係合部４が凹凸係合する係止部３として機能する。
【００３３】
下方鍔部７は、図３，４，５に図示したように前後左右の周壁（正面壁１Ａ，左右側面壁１Ｃ及び背面壁１Ｄ）夫々の下端部（外面下方部位）に一体成形されている。
【００３４】
また、この下方鍔部７を含む容器本体１の下端部（角部）は、覆い板体２の下端部設けられた係合部４が凹凸係合する係止部３として機能し、少なくとも容器本体１のボックス体30に対する収納状態において該ボックス体30の正面開口位置に配される正面壁１Ａの下端部には、係合部４の先端部が掛け止め係合する凹状部が複数並設されている。
【００３５】
また、容器本体１を構成する前後の周壁（正面壁１Ａ及び背面壁１Ｄ）夫々には把手孔８が設けられている。
【００３６】
覆い板体２は、図１〜３，５に図示したように適宜な合成樹脂製の部材で形成した方形板状体（横長長方形の板体）であり、ボックス体30の収納空間に容器本体１へ付設した状態で収納した際、正面方向から見て容器本体１を隠蔽する大きさであってボックス体30の正面開口部30ａの横幅に略合致する大きさに設定されている。尚、覆い板体２の素材も木製や金属製など適宜選択される。
【００３７】
具体的には、本実施例では、前述した大型サイズの容器本体１を隠蔽し得る大きさ（縦幅寸法及び横幅寸法）の覆い板体２と、小型サイズの容器本体１を隠蔽し得る大きさ（縦幅寸法及び横幅寸法）の覆い板体２が設けられており言い換えれば、ボックス体30の下二段の収納空間夫々における正面開口部30ａの略全部の領域を閉塞し得る大きさの覆い板体２と、ボックス体30の上一段の収納空間における正面開口部30ａの一部（上半分及び下半分夫々）の領域を閉塞し得る大きさの覆い板体２とを設けており、つまり、覆い板体２は、ボックス体30の正面開口部30ａの大きさに応じた複数のサイズ（縦幅寸法及び横幅寸法）が用意されている（１つの容器本体１につき複数のサイズの覆い板体２が用意されている。）。
【００３８】
また、本実施例では、覆い板体２は、正面視方向から見た際の外形寸法がボックス体30の収納空間よりも小さい寸法であって、ボックス体30（正面開口部30ａ）内に配されるサイズ（縦幅寸法及び横幅寸法）に設定されており、ボックス体30内への収納状態において、覆い板体２の外面がボックス体30の正面開口部30ａの前端縁面と面一状態となる位置から没入状態となる位置まで好みに合わせて配設することができる。
【００３９】
尚、本明細書における覆い板体２が容器本体１を隠蔽するとは、覆い板体２によって容器本体１が完全に見えなくなるまで隠すという場合に限らず、収納時の体裁を良好にするという本実施例の機能を発揮する程度において隠蔽するという意味であり、容器本体１の一部が見える場合も含むものである。そういう意味では覆い板体２はメッシュ構造のようなものでも良い。
【００４０】
また、覆い板体２には、容器本体１の上端部及び下端部夫々に設けられた係止部３に係脱自在に係合する係合部４が設けられている。
【００４１】
具体的には、覆い板体２の内面上端部には、容器本体１の上部に設けられた係止部３に対して凹凸係合する鉤形状の係合部４が突設されており、覆い板体２の内面下端部には、容器本体１の下部に設けられた係止部３に対して凹凸係合する鉤形状の係合部４が突設されている。
【００４２】
従って、覆い板体２は容器本体１の正面壁１Ａの外面部位に重合状態に着脱自在に付設される。
【００４３】
また、覆い板体２の外面には取手部５が設けられている。
【００４４】
本実施例は上述のように構成したから、容器本体１の正面壁１Ａに覆い板体２を重合状態に付設し、この状態でボックス体30に収納する。
【００４５】
このボックス体30への収納状態において、覆い板体２は、容器本体１を隠蔽する大きさであってボックス体30の正面開口部30ａの横幅に略合致する大きさに設定されている。
【００４６】
よって、本実施例によれば、仮にボックス体30のサイズに容器本体１のサイズが合わず、ボックス体30の内面と収納容器１の外面との間にユーザーが体裁が悪いと思う隙間が生じたとしても、容器本体１に覆い板体２を付設するだけで、この隙間が気にならない状態に隠すことができ、ユーザーの要求に対応した体裁の良い収納状態が得られる。
【００４７】
また、本実施例は、覆い板体２はボックス体30の正面開口部30ａの大きさに応じた複数のサイズが用意されている為、ユーザーはボックス体30のサイズに合った覆い体２を選択して容器本体に付設すれば良く、この点においてもユーザーの要求に確実に対応することができ、一方、容器本体１を提供する側（メーカー側）においては、ボックス体30のサイズに応じた覆い板体２を提供すれば良いだけであり、ユーザーの要求に対してコスト安に対応することができる。
【００４８】
また、本実施例は、覆い板体２は、容器本体１に着脱自在に設けられているから、ユーザーの要求に合わせて覆い板体２を使ったり使わなかったりする。
【００４９】
また、本実施例は、覆い板体２には、容器本体１の上端部及び下端部夫々に設けられた係止部３に係合する係合部４が設けられているから、簡易且つ確実に覆い板体２を付設することができる。
【００５０】
また、本実施例は、覆い板体２の外面には取手部５が設けられているから、引き出しのような使い方が可能になる。
【００５１】
尚、本発明は、本実施例に限られるものではなく、各構成要件の具体的構成は適宜設計し得るものである。
【符号の説明】
【００５２】
１  容器本体
１Ａ  正面壁
１Ｂ  底壁
１Ｃ  左右側面壁
１Ｄ  背面壁
１ａ  上部開口部
２  覆い板体
３  係止部
４  係合部
５  取手部
30  ボックス体
30Ａ  水平板
30Ｂ  側板
30ａ  正面開口部
【図１】
2020124409.tif 000003
【図２】
2020124409.tif 000004
【図３】
2020124409.tif 000005
【図４】
2020124409.tif 000006
【図５】
2020124409.tif 000007
【図６】
2020124409.tif 000008